【事件の表示】
　特願２０１５−４０８６３号「遊技機」拒絶査定不服審判事件〔平成２８年９月５日出願公開、特開２０１６−１５８９０７号〕について、次のとおり審決する。
【結　論】
　本件審判の請求は、成り立たない。
【理　由】
第１　手続の経緯
　本願は、平成２７年３月３日の出願であって、平成３０年１０月１２日付けで拒絶の理由が通知され、同年１１月３０日に意見書及び手続補正書が提出されたところ、平成３１年４月１７日付け（送達日：令和１年５月７日）で拒絶査定（以下、「原査定」という。）がなされ、それに対して、同年７月３１日に拒絶査定不服審判の請求がなされると同時に手続補正がなされたものである。
第２　令和１年７月３１日付けの手続補正についての補正の却下の決定
［補正の却下の決定の結論］
　令和１年７月３１日付けの手続補正（以下、「本件補正」という。）を却下する。
［理由］
１　補正の内容
　本件補正は、本件補正前の特許請求の範囲、すなわち平成３０年１１月３０日に提出された手続補正書により補正された特許請求の範囲の請求項１の記載を、以下のとおり、補正後の特許請求の範囲の請求項１のものに補正するものである（下線は補正箇所を示す。）。
（補正前）
「【請求項１】
　遊技者の操作を受け付ける複数の演出操作部と、
　複数の前記演出操作部それぞれに設けられ、該演出操作部の可動操作に伴って検出信号を出力する複数の操作検出部と、
　前記操作検出部から出力される検出信号に基づいて演出を実行する演出実行手段と、
を備え、
　複数の前記演出操作部には、遊技者の第１の操作態様による可動操作を可能とする第１の演出操作部と、前記第１の操作態様とは異なる第２の操作態様により可動操作を可能とする第２の演出操作部が含まれ、
　複数の前記操作検出部には、前記第１の演出操作部の可動操作に伴って第１検出信号を出力する第１操作検出部、および、前記第２の演出操作部の可動操作に伴って第２検出信号を出力する第２操作検出部が含まれ、
　前記演出実行手段は、
　複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行することを特徴とする遊技機。」
（補正後）
「【請求項１】
　遊技者の操作を受け付ける複数の演出操作部と、
　複数の前記演出操作部それぞれに設けられ、該演出操作部の可動操作に伴って検出信号を出力する複数の操作検出部と、
　前記操作検出部から出力される検出信号に基づいて演出を実行する演出実行手段と、
を備え、
　複数の前記演出操作部には、遊技者の第１の操作態様
として第一の方向への
として前記第一の方向とは異なる第二の方向への
　複数の前記操作検出部には、前記第１の演出操作部の
前記第一の方向への
前記第二の方向への
　前記演出実行手段は、
　複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行することを特徴とする遊技機。」
２　補正の適否
（１）　特許法第１７条の２第３項及び第５項に関する要件について
ア　補正の目的について
　本件補正は、本件補正前の請求項１における「遊技者の第１の操作態様による可動操作を可能とする第１の演出操作部」を「遊技者の第１の操作態様
として第一の方向への
として前記第一の方向とは異なる第二の方向への
前記第一の方向への
前記第二の方向への
　上記補正は、実質的に「第１の演出操作部」が「第一の方向への可動操作」を可能とするものである点、及び、「第２の演出操作部」が「前記第一の方向とは異なる第二の方向への可動操作」を可能とするものである点を限定するものであるから、本件補正前の請求項１に記載した発明を特定するために必要な事項を限定するものであって、特許請求の範囲の減縮を目的とするものである。
　また、本件補正前の請求項１に係る発明と本件補正後の請求項１に係る発明を対比すると、両者は産業上の利用分野及び解決しようとする課題が同一であると認められる。
イ　新規事項の有無について
　本願の願書に最初に添付した明細書、特許請求の範囲又は図面（以下、「当初明細書等」という。）の段落【００３０】には、「演出ボタン２０８は、遊技者の押下操作を受け付けるボタンであって、・・・」との記載があり、段落【００３１】には「・・・演出ハンドル２０９は、遊技者の左右の操作を受け付ける演出用のハンドルであって、・・・」との記載がある。
　そして、当初明細書等の記載における「演出ボタン２０８」及び「演出ハンドル２０９」は、それぞれ、補正後の請求項１の記載における「第１の演出操作部」及び「第２の演出操作部」に相当し、当初明細書等の記載における「押下操作」及び「左右の操作」は、それぞれ、補正後の請求項１の記載における「第一の方向」及び「前記第一の方向とは異なる第二の方向」に相当することから、本件補正は、当初明細書等に記載の範囲内のものといえる。
ウ　小括
　よって、本件補正は、上記アより、特許法第１７条の２第５項第２号に掲げる特許請求の範囲の減縮を目的とするものに該当する。
　そして、本件補正は、上記イにおいて検討したように、新規事項を追加するものではないから、特許法第１７条の２第３項に規定する要件を満たす。
　そこで、本件補正後の請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
（２）　独立特許要件について
（２−１）　本願補正発明
　本願補正発明は、令和１年７月３１日に提出された手続補正書により補正された特許請求の範囲の請求項１に記載されたとおりのもの（上記１の（補正後）の記載を参照。）であり、分説し、ＡないしＧの符号を付与すると、以下のとおりである。
「Ａ　遊技者の操作を受け付ける複数の演出操作部と、
Ｂ　複数の前記演出操作部それぞれに設けられ、該演出操作部の可動操作に伴って検出信号を出力する複数の操作検出部と、
Ｃ　前記操作検出部から出力される検出信号に基づいて演出を実行する演出実行手段と、
を備え、
Ｄ　複数の前記演出操作部には、遊技者の第１の操作態様として第一の方向への可動操作を可能とする第１の演出操作部と、前記第１の操作態様とは異なる第２の操作態様として前記第一の方向とは異なる第二の方向への可動操作を可能とする第２の演出操作部が含まれ、
Ｅ　複数の前記操作検出部には、前記第１の演出操作部の前記第一の方向への可動操作に伴って第１検出信号を出力する第１操作検出部、および、前記第２の演出操作部の前記第二の方向への可動操作に伴って第２検出信号を出力する第２操作検出部が含まれ、
Ｆ　前記演出実行手段は、
　複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行すること
Ｇ　を特徴とする遊技機。」
（２−２）　引用文献とそれに記載された事項
ア　引用文献の記載事項
　原査定の拒絶の理由で引用された本願の出願前に頒布された特開２０１５−１９７０４号公報（以下、「引用文献１」という。）には、次の事項が記載されている（下線は当審において付加したものである。以下同様。）。
引−ア
「【発明の詳細な説明】
【技術分野】
【０００１】
　
遊技機
引−イ
「【０００６】
　本態様に係る
遊技機は、
　
識別情報を変動表示及び停止表示可能な
主遊技図柄表示装置２１３０
と、
　情報を表示可能な情報表示部（例えば、
演出表示装置２１４０
と、
遊技者によって操作可能な
演出操作装置
を備え、
　所定の乱数取得条件を充足した場合、遊技内容を決定する乱数を取得する乱数取得手段（例えば、乱数取得判定実行手段１１２０）と、
　前記乱数に基づき、前記遊技内容として、識別情報の変動内容及び停止識別情報を決定する識別情報表示内容決定手段（例えば、図柄内容決定手段１１４０）と、
　識別情報表示内容決定手段（例えば、図柄内容決定手段１１４０）により決定された前記変動内容に従い、識別情報を識別情報表示部（例えば、主遊技図柄表示装置２１３０）上にて変動表示した後、停止識別情報を表示するよう制御する識別情報表示制御手段（例えば、表示制御手段１１５０）と、
識別情報表示部（例えば、主遊技図柄表示装置２１３０）上にて表示された停止識別情報が所定態様であった場合、遊技者にとって有利な特別遊技へ移行し得る特別遊技実行手段（例えば、特別遊技制御手段１１７０）と、
識別情報が変動表示されている期間である変動表示期間中において、複数種類の予告画像候補の内から特別遊技への移行期待度と対応した種類の予告画像を、
演出表示装置２１４０
にて表示し得る
表示制御手段２１５２
を備え、
　変動表示期間中における所定の表示タイミングにて、操作部（例えば、演出操作装置４０００）の操作指示に係る情報を情報表示部（例えば、演出表示装置２１４０）にて表示すると共に、当該表示タイミング後から所定期間が経過するまでに操作部（例えば、演出操作装置４０００）が操作された場合には予告画像を表示し得るよう制御し、
　操作部（例えば、演出操作装置４０００）にて所定の操作態様がなされた場合に操作部（例えば、演出操作装置４０００）が操作されたと判定するよう構成されていると共に、操作部（例えば、演出操作装置４０００）にて当該所定の操作態様とは異なる特定の操作態様がなされた場合にも操作部（例えば、演出操作装置４０００）が操作されたと判定するよう構成されており、当該所定の操作態様がなされた場合と当該特定の操作態様がなされた場合とでは、予告画像の表示内容を異ならせ得るよう構成されており、前記操作部の操作指示に係る情報として当該所定の操作態様に係る指示が表示されるよう構成されている
ことを特徴とする遊技機である。
　尚、本態様とは異なる別態様について以下に記載しておくが、これには何ら限定されることなく実施することが可能である。
　本別態様に係る遊技機は、
　夫々を独立して操作可能な操作部を複数備え、当該複数の操作部に基づく所定の操作手順がなされた場合に操作部（例えば、演出操作装置４０００）が操作されたと判定するよう構成されていると共に、当該複数の操作部に基づく当該所定の操作手順とは異なる特定の操作手順がなされた場合にも操作部（例えば、演出操作装置４０００）が操作されたと判定するよう構成されており、当該所定の操作手順がなされた場合と当該特定の操作手順がなされた場合とでは、予告画像の表示内容を異ならせ得るよう構成されている
ことを特徴とする遊技機である。」
引−ウ
「【００１１】
　まず、・・・本実施形態に係る
ぱちんこ遊技機
引−エ
「【００２２】
　次に、図２を参照しながら、ぱちんこ遊技機の背面側における基本構造を説明する。
ぱちんこ遊技機には、
遊技動作全般の制御
を行う主制御装置
１０００と、遊技内容に興趣性を付与する装図表示部２１４１上での各種演出・情報報知に係る表示制御を行う
演出表示制御手段
２１５０と、
２１５０からのコマンドを受けて遊技の興趣性を高める演出が表示される演出表示装置２１４０
設けられ
【００２３】
　次に、図３のブロック図を参照しながら、本実施形態に係るぱちんこ遊技機の各種機能について説明する。はじめに、主制御装置１０００は、遊技に係る遊技周辺機器２０００｛（主遊技周辺機器Ａ、補助遊技周辺機器２２００）、演出に係るサブメイン制御装置（演出表示制御手段２１５０）、主制御装置１０００からの払出指示に基づき所定数の賞球の払出制御を行う賞球払出制御装置３０００｝と、情報伝達可能に接続されている。また、サブメイン制御装置（演出表示制御手段２１５０）は、
画像演出を実行する
演出表示装置２１４０
演出表示装置２１４０
は、十字キーやボタン等の遊技者によって操作可能な演出操作装置（いわゆるサブ入力ボタン）４０００と電気的に接続され
引−オ
「【００４６】
　まず、
演出表示制御手段２１５０は、主制御装置１０００側からの各種情報
に基づき、演出表示装置２１４０上での演出表示制御を行う表示制御手段２１５２と、を有し
引−カ
「【００８４】
　次に、
図１８は、
サブ（サブメイン基板）側で実行する演出表示制御処理のフローチャートである。
【００８５】
　次に、ステップ２３１０で、表示制御手段２１５２は、演出表示関連情報一時記憶手段２１５２ｅ内の図柄変動中フラグがオンであるか否かを判定する。ステップ２３１０でＹｅｓの場合、
ステップ２３２０で、表示制御手段２１５２は、後述する表示更新処理を実行する。
引−キ
「【０１０５】
　次に、図２３は、本実施形態からの変更例１における、
ぱちんこ遊技機
サブ入力ボタン４０００
十字キー４１００
引−ク
「【０１９２】
（変更例９）
　尚、サブ入力ボタンの入力操作を促す画像（ボタン画像及びインジケータ画像）の表示に係る演出態様はこれには限定されない。そこで、そのような演出態様の一例を、本実施形態からの変更例９とし、以下、本実施形態からの変更点についてのみ詳述する。
【０１９３】
　まず、図５２は、本実施形態からの変更例９における、図１５でのステップ２２３０のサブルーチンに係る、演出表示制御装置（サブメイン基板）側での予告演出内容決定処理のフローチャートである。本実施形態からの変更点は、操作する操作部材及びその組み合わせによって異なる予告が発生し得るよう構成したことである。尚、
操作部材及びその組み合わせはこれには限定されず、操作部材の数、使用する操作部材、操作する際の操作部材の組み合わせ等を変更しても何ら問題ない。
【０１９４】
　次に、
図５３は、本実施形態からの変更例９における、図１８でのステップ２３２０のサブルーチンに係る、演出表示制御装置（サブメイン基板）側での表示更新処理のフローチャートである。
ステップ２６５０（変９）で、表示制御手段２１５２は、後述するボタン演出表示処理を実行し、
【０１９５】
　次に、
図５４は、本実施形態からの変更例９における、図５３でのステップ２６５０（変９）のサブルーチンに係る、演出表示制御装置（サブメイン基板）側でのボタン演出表示処理のフローチャートである。
ボタン演出表示制御手段２１５２ｈは、
サブ入力ボタンの操作があるか否かを判定する。
十字キー４１００が操作中であるか否かを判定する。
十字キーの操作はいずれの方向（上下左右）であるかを問わない
Ｙｅｓの場合、
ボタン演出表示制御手段２１５２ｈは、
サブ入力ボタンと十字キー同時押し予告を実行し、
Ｎｏの場合には、
ボタン演出表示制御手段２１５２ｈは、
サブ入力ボタン単独押し予告を実行
引−ケ
「【０１９８】
　以上のように変更することで、本実施形態からの変更例９によれば、インジケータ演出中に操作部材を操作する場合において、操作部材及びその組み合わせの中で１通りの操作（例えば、サブ入力ボタンの押下）を指示しているが、異なる操作部材及びその組み合わせの操作（例えば、タッチパネルに触れる等）であっても入力を受け付けると共に、
操作する操作部材及びその組み合わせによって異なる予告が発生し得るよう構成することで、遊技者が任意に操作部材及びその組み合わせを選択することができるようになり、遊技の興趣性が高まることとなる。
引−コ
「【図１８】
」
引−サ
「【図２３】
」
引−シ
「【図５２】
」
引−ス
「【図５３】
」
引−セ
「【図５４】
」
イ　引用文献の記載事項より導き出せる事項
　上記引−アないし引−セに摘記した引用文献１の記載より、以下の事項が導き出せる。
（ア）段落【０００６】には、「遊技者によって操作可能な操作部（例えば、演出操作装置４０００）」の記載があり、段落【０１０５】及び図２３には、ぱちんこ遊技機が、「サブ入力ボタン４０００」と、「十字キー４１００」を備えた点が記載されており、図２３を参照すると、「サブ入力ボタン４０００」と、「十字キー４１００」は、遊技者による操作を可能とするために、ぱちんこ遊技機の前面に設けられた点が図示されていることから、「サブ入力ボタン４０００」と「十字キー４１００」は、「演出操作部４０００」を構成する複数の操作部であると認められる。また、図２３を参照すると、「サブ入力ボタン４０００」は、当該ボタンの中心軸の部分をぱちんこ遊技機の前後方向に操作可能であると認められ、一方、「十字キー４１００」は、段落【０１９５】に「十字キーの操作はいずれの方向（上下左右）であるかを問わない」と記載されていることから、十字キーの中心軸の上下左右のいずれかの部分を所定方向へ操作可能であると認められる。
（イ）段落【００８４】において、「図１８は、」「サブ（サブメイン基板）側で実行する演出表示制御処理のフローチャートである。」と記載されたように、図１８は、演出表示制御処理のフローチャートを示したものであるが、演出表示制御処理におけるステップ２３２０について、段落【００８５】には、「ステップ２３２０で、表示制御手段２１５２は、後述する表示更新処理を実行する。」と記載されていることから、演出表示制御処理は、表示更新処理を含むものである。そして、段落【０１９４】には、「図５３は、本実施形態からの変更例９における、図１８でのステップ２３２０のサブルーチンに係る、演出表示制御装置（サブメイン基板）側での表示更新処理のフローチャートである。」と記載されたように、図５３は、表示更新処理のフローチャートを記載したものであるが、段落【０１９４】には、その表示更新処理について、「ステップ２６５０（変９）で、表示制御手段２１５２は、後述するボタン演出表示処理を実行し、」と記載されていることから、ボタン演出表示処理は、表示更新処理に含まれ、さらには、演出表示制御処理に含まれるものであり、「表示制御手段２１５２は、」「ボタン演出表示処理を実行」することが読み取れる。
　さらに、段落【０１９５】には、「図５４は、本実施形態からの変更例９における、図５３でのステップ２６５０（変９）のサブルーチンに係る、演出表示制御装置（サブメイン基板）側でのボタン演出表示処理のフローチャートである。」と記載され、そのフローチャートに関して、段落【０１９５】には、「ステップ２６５６で、ボタン演出表示制御手段２１５２ｈは、」「サブ入力ボタンと十字キー同時押し予告を実行し、」と記載され、また、「ステップ２６５８で、ボタン演出表示制御手段２１５２ｈは、」「サブ入力ボタン単独押し予告を実行し、」と記載されていることから、表示制御手段２１５２はボタン演出表示制御手段２１５２ｈを備え、ボタン演出表示処理は、ボタン演出表示制御手段２１５２ｈにより行われるものであることが導き出せる。
（ウ）段落【０１９５】の記載において、「ボタン演出表示制御手段２１５２ｈは、」「サブ入力ボタンの操作があるか否かを判定する」ものであるから、「サブ入力ボタンの操作があるか否かを判定する」機能を備えるものである。また、同様に、「ボタン演出表示制御手段２１５２ｈは、」「十字キー４１００が操作中であるか否かを判定する」ものであるから、「サブ入力ボタンの操作中であるか否かを判定する」機能を備えるものである。　
（エ）段落【０１９５】には、図５４に記載されたボタン演出表示処理のフローチャートの説明が記載されており、段落【０１９５】の記載において、「ステップ２６５２で、ボタン演出表示制御手段２１５２ｈは、」「サブ入力ボタンの操作があるか否かを判定」し、「ステップ２６５２でＹｅｓの場合」とは、サブ入力ボタン４０００の操作があるか否かの判定結果において「サブ入力ボタン４０００の操作がある場合」であり、「ステップ２６５２でＹｅｓの場合」「ステップ２６５４で、ボタン演出表示制御手段２１５２ｈは、」「十字キー４１００が操作中であるか否かを判定」することは、「サブ入力ボタン４０００の操作がある場合」に「十字キー４１００が操作中であるか否かを判定」することであり、「ステップ２６５４でＹｅｓの場合」とは、十字キー４１００が操作中であるか否かの判定結果において、十字キー４１００が操作中である場合であり、「ステップ２６５４でＮｏの場合」とは、「十字キー４１００が操作中でない場合」であることが導き出せる。
（オ）段落【０１９８】には、「操作する操作部材及びその組み合わせによって異なる予告が発生し得るよう構成することで、遊技者が任意に操作部材及びその組み合わせを選択することができるようになり、遊技の興趣性が高まることとなる。」と記載されており、図５２の記載を参照すると、主演出内容がハズレの場合、サブ入力ボタン単独押し予告として「コメント予告１」及び「コメント予告２」が選択され、サブ入力ボタンと十字キー同時押し予告として「コメント予告４」及び「コメント予告５」が選択されて表示されることが記載されており、主演出内容が大当りの場合、サブ入力ボタン単独押し予告として「コメント予告１」ないし「コメント予告３」が選択され、サブ入力ボタンと十字キー同時押し予告として「コメント予告４」ないし「コメント予告６」が選択されて表示されることが読み取れることから、「サブ入力ボタン単独押し予告」と「サブ入力ボタンと十字キー同時押し予告」とが異なる予告であることが導き出せる。
ウ　引用発明
　よって、上記引−アないし引−セに摘記した引用文献１の記載事項、及び、上記（ア）ないし（オ）に示した認定事項より、引用文献１には、以下の発明（以下、「引用発明」という。）が記載されているものと認められる。なお、ａないしｇの符号は、本願補正発明の構成ＡないしＧに対応させて当審にて付与した。
「ａ１　ぱちんこ遊技機であって（【０００１】、【０００６】、【００１１】、【０１０５】、図２３）、
ａ２　前記ぱちんこ遊技機には、遊技動作全般の制御を行う主制御装置１０００と（【００２２】）、識別情報を変動表示及び停止表示可能な主遊技図柄表示装置２１３０と（【０００６】）、遊技内容に興趣性を付与する装図表示部２１４１上での各種演出・情報報知に係る表示制御を行う演出表示制御手段２１５０と、前記演出表示制御手段２１５０からのコマンドを受けて遊技の興趣性を高める演出が表示される演出表示装置２１４０と（【００２２】）、
ａ３　遊技者によって操作可能な演出操作装置と（【０００６】）が設けられ、
ａ４　前記演出表示制御手段２１５０は、主制御装置１０００側からの各種情報に基づき、前記演出表示装置２１４０上での演出表示制御を行う表示制御手段２１５２を有し（【００４６】）、前記表示制御手段２１５２は、識別情報が変動表示されている期間である変動表示期間中において、複数種類の予告画像候補の内から特別遊技への移行期待度と対応した種類の予告画像を、前記演出表示装置２１４０にて表示し得るものであり（【０００６】、【０１９４】、認定事項（イ））、
ａ５　前記演出表示装置２１４０は、前記演出操作装置と電気的に接続され（【００２３】）、
ａ６、ｄ　前記演出操作装置には、ボタンの中心軸の部分をぱちんこ遊技機の前後方向に操作可能なサブ入力ボタン４０００と、キーの中心軸の上下左右のいずれかの部分を所定方向に操作可能な十字キー４１００があり（【０１０５】、【０１９５】、図２３、認定事項（ア））
ｂ、ｅ　前記表示制御手段２１５２はボタン演出表示制御手段２１５２ｈを備え（【０１９４】、認定事項（イ））、前記ボタン演出表示制御手段２１５２ｈは、前記サブ入力ボタン４０００の操作があるか否かを判定する機能、及び、前記十字キー４１００が操作中であるか否かを判定する機能を備え（【０１９５】、認定事項（ウ））、
ｃ　前記ボタン演出表示制御手段２１５２ｈは、前記サブ入力ボタン４０００の操作があるか否かを判定し、また、前記十字キー４１００が操作中であるか否かを判定してボタン演出表示処理を行うものであり（【０１９４】、【０１９５】、認定事項（ウ））、
ｆ　前記ボタン演出表示制御手段２１５２ｈは、前記サブ入力ボタン４０００の操作があるか否かを判定し（【０１９５】、図５４、認定事項（エ））、前記サブ入力ボタン４０００の操作がある場合に、前記十字キー４１００が操作中であるか否かを判定し（【０１９５】、図５４、認定事項（エ））、前記十字キー４１００が操作中である場合に、前記ボタン演出表示制御手段２１５２ｈは、サブ入力ボタンと十字キー同時押し予告を実行し（【０１９５】、図５２、図５４、認定事項（エ）、（オ））、前記十字キー４１００が操作中でない場合に、前記ボタン演出表示制御手段２１５２ｈは、前記サブ入力ボタンと十字キー同時押し予告とは異なるサブ入力ボタン単独押し予告を実行する（【０１９５】、図５２、図５４、認定事項（エ）、（オ））、
ｇ　ぱちんこ遊技機。」
（２−３）　本願補正発明と引用発明との対比
　本願補正発明と引用発明とを対比する。
ア　本願補正発明の構成Ａについて
（ア）引用発明の構成ａ３における「遊技者によって操作可能な演出操作装置」は、構成ａ６、ｄにおいて「サブ入力ボタン４０００」と「十字キー４１００」からなることが特定されていることから、複数のものであり、本願補正発明の「遊技者の操作を受け付ける複数の演出操作部」に相当する。（イ）よって、引用発明は、本願補正発明の構成Ａに相当する構成を有する。
イ　本願補正発明の構成Ｂについて
（ア）引用発明の構成ｂ、ｅにおいて「ボタン演出表示制御手段２１５２ｈ」は、「前記サブ入力ボタン４０００の操作があるか否かを判定する機能」及び「前記十字キー４１００が操作中であるか否かを判定する機能」を有するものであるが、構成ａ５に「電気的に接続され」ることが特定されていることから、それらの判定が電気的な信号に基づいて行われるものであることは、当業者にとって明らかである。
（イ）してみると、引用発明における、「前記サブ入力ボタン４０００の操作があるか否かを判定する機能」及び「前記十字キー４１００が操作中であるか否かを判定する機能」を有する「ボタン演出表示制御手段２１５２ｈ」は、本願補正発明の「該演出操作部の可動操作に伴って検出信号を出力する」「操作検出部」に相当する。
（ウ）よって、引用発明は、本願補正発明の構成Ｂに相当する構成を有する。
ウ　本願補正発明の構成Ｃについて
（ア）引用発明の構成ｃにおける「前記サブ入力ボタン４０００の操作があるか否か」の判定、及び、「前記十字キー４１００が操作中であるか否か」の判定と、本願補正発明の「前記操作検出部から出力される検出信号」は、ともに、「操作」の結果を表すものである点で一致する。
（イ）引用発明の構成ｃにおける「ボタン演出表示処理を行う」ことは、本願補正発明の「演出を実行する」ことに相当する。
（ウ）そして、引用発明の構成ｃにおける「前記サブ入力ボタン４０００の操作があるか否かを判定し、また、前記十字キー４１００が操作中であるか否かを判定してボタン演出表示処理を行う」ことと、本願補正発明の「前記操作検出部から出力される検出信号に基づいて演出を実行する」ことは、ともに、演出操作部の「操作」の結果に基づいて「演出を実行する」点で一致し、引用発明の構成Ｃにおける「ボタン演出表示制御手段２１５２ｈ」は、本願補正発明の「前記操作検出部から出力される検出信号に基づいて演出を実行する演出実行手段」としての機能を有するものである。
（エ）よって、引用発明は、本願補正発明の構成Ｃに相当する構成を有する。
エ　本願補正発明の構成Ｄについて
（ア）引用発明の構成ａ６、ｄにおける「サブ入力ボタン４０００」及び「十字キー４１００」は、構成ａ３における「遊技者によって操作可能な演出操作装置」を構成するものであるから、それぞれ、本願補正発明の「遊技者の」「可動操作を可能とする第１の演出操作部」及び「可動操作を可能とする第２の演出操作部」に相当し、引用発明の構成ａ６、ｄにおける「演出操作装置には、」「サブ入力ボタン４０００」と「十字キー４１００があ」ることは、本願補正発明の「複数の前記演出操作部には、」「第１の演出操作部と、」「第２の演出操作部が含まれ」ることに相当する。
（イ）引用発明における、「遊技者」による「サブ入力ボタン４０００」の「ボタンの中心軸の部分」の「ぱちんこ遊技機の前後方向」の「操作」は、本願補正発明の「第１の操作態様として」の「第一方向への可動操作」に相当する。
（ウ）引用発明における、「遊技者」による「十字キー４１００」の「キーの中心軸の上下左右のいずれかの部分」の「所定方向」の「操作」は、本願補正発明の「第２の操作態様として」の「第二方向への可動操作」に相当する。
（エ）よって、引用発明の構成ａ３及びａ６、ｄにおける「遊技者によって操作可能な演出操作装置には、」「ボタンの中心軸の部分をぱちんこ遊技機の前後方向に操作されるサブ入力ボタン４０００と、キーの中心軸の上下左右のいずれかの部分を所定方向に操作可能な十字キー４１００があ」ることと、本願補正発明の「複数の前記演出操作部には、遊技者の第１の操作態様として第一の方向への可動操作を可能とする第１の演出操作部と、前記第１の操作態様とは異なる第２の操作態様として前記第一の方向とは異なる第二の方向への可動操作を可能とする第２の演出操作部が含まれ」ることは、「複数の前記演出操作部には、遊技者の第１の操作態様としての第一の方向への可動操作を可能とする第１の演出操作部と、第２の操作態様として」「第二の方向への可動操作を可能とする第２の演出操作部が含まれ」る点で一致する。
オ　本願補正発明の構成Ｅについて
（ア）上記イ（ア）において検討したように、引用発明の構成ｂ、ｅにおける「ボタン演出表示制御手段２１５２ｈ」は、本願補正発明の「操作検出部」としての機能を有するものである。
（イ）そして、引用発明の構成ｂ、ｅにおける「前記サブ入力ボタン４０００の操作があるか否かを判定する機能」を有する「ボタン演出表示制御手段２１５２ｈ」は、本願補正発明の「前記第１の演出操作部の可動操作に伴って前記第一の方向への第１検出信号を出力する第１操作検出部」としての機能を有し、また、引用発明の構成ｂ、ｅにおける「前記十字キー４１００が操作中であるか否かを判定する機能」を有する「ボタン演出表示制御手段２１５２ｈ」は、本願補正発明の「前記第２の演出操作部の前記第二の方向への可動操作に伴って第２検出信号を出力する第２操作検出部」としての機能を有するものである。
（ウ）よって、引用発明は、本願補正発明の構成Ｅに相当する構成を有する。
カ　本願補正発明の構成Ｆについて
（ア）引用発明の構成ｆにおける「サブ入力ボタン４０００の操作があるか否かを判定し」、「サブ入力ボタン４０００の操作がある場合に、十字キー４１００が操作中であるか否かを判定し」、「十字キー４１００が操作中でない場合」は、サブ入力ボタン４０００のみが操作されたことは明らかであるから、本願補正発明の「複数の前記操作検出部のうち前記第１操作検出部もしくは前記第２操作検出部のいずれか一方から検出信号が出力されている場合」に相当する。
（イ）引用発明の構成ｆにおける「サブ入力ボタンの操作があるか否かを判定し」、「サブ入力ボタン４０００の操作がある場合に、十字キー４１００が操作中であるか否かを判定し」、「十字キー４１００が操作中である場合」は、サブ入力ボタン４０００と十字キー４１００がともに操作されていることから、本願補正発明の「前記第１操作検出部および前記第２操作検出部の双方から検出信号が出力されている場合」に相当する。
（ウ）引用発明の構成ｆにおける「サブ入力ボタンと十字キー同時押し予告」と「サブ入力ボタンと十字キー同時押し予告とは異なるサブ入力ボタン単独押し予告」は、本願補正発明の「異なる演出」に相当するから、引用発明の構成ｆにおける「ボタン演出表示制御手段２１５２ｈ」が「サブ入力ボタン４０００の操作がある場合に、」「十字キー４１００が操作中である場合」は「サブ入力ボタンと十字キー同時押し予告を実行し」、「十字キー４１００が操作中でない場合」は「前記サブ入力ボタンと十字キー同時押し予告とは異なるサブ入力ボタン単独押し予告を実行する」ことは、本願補正発明の「前記演出実行手段は、複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行すること」に相当する。
キ　本願補正発明の構成Ｇについて
　引用発明の構成ｇにおける「ぱちんこ遊技機」は、本願補正発明の「遊技機」に相当する。
　以上のことから、本願補正発明と引用発明とは、以下の点で一致する。
＜一致点＞
Ａ　遊技者の操作を受け付ける複数の演出操作部と、
Ｂ　複数の前記演出操作部それぞれに設けられ、該演出操作部の可動操作に伴って検出信号を出力する複数の操作検出部と、
Ｃ　前記操作検出部から出力される検出信号に基づいて演出を実行する演出実行手段と、
を備え、
Ｄ’　複数の前記演出操作部には、遊技者の第１の操作態様としての第一の方向への可動操作を可能とする第１の演出操作部と、第２の操作態様としての第二の方向への可動操作を可能とする第２の演出操作部が含まれ、
Ｅ　複数の前記操作検出部には、前記第１の演出操作部の前記第一の方向への可動操作に伴って第１検出信号を出力する第１操作検出部、および、前記第２の演出操作部の前記第二の方向への可動操作に伴って第２検出信号を出力する第２操作検出部が含まれ、
Ｆ　前記演出実行手段は、
　複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行する
Ｇ　遊技機。
　そして、両者は、以下の点で相違する。
＜相違点＞　（構成Ｄに関して）
　第二の方向に関して、本願補正発明は、第二の方向が、前記第一の方向とは異なる方向であるのに対して、引用発明は、前後方向と所定方向との関係が明確に特定されていないことから、前後方向とは異なる方向であるか否かが不明である点。
（２−４）　当審の判断
ア　相違点についての検討
　
　上記相違点について以下に検討する。
　引用発明は、十字キー４１００の操作方向が明確に特定されておらず、引用文献１には、サブ入力ボタン４０００と、十字キー４１００の詳細な構造を示した図面が示されていないことから、サブ入力ボタン４０００の操作方向である前後方向と、十字キー４１００の操作方向である所定方向との関係が明確ではないが、サブ入力ボタン４０００が押圧方向である前後方向の１方向への押圧操作を受け付けるものであるのに対して、十字キー４１００は、遊技者により、十字の中心を支点として傾動させて４方向に作用する傾動操作を受け付けるものであることは技術常識であるから、サブ入力ボタン４０００と十字キー４１００の操作方向が同じ方向とはならず、引用発明も、サブ入力ボタン４０００の操作方向と十字キー４１００の操作方向は異なる方向であると認められる。
　したがって、引用発明の構成ｄは、本願補正発明の構成Ｄに相当する。
　ゆえに、上記相違点は、実質的な相違点とは認められない。
　よって、本願補正発明は、引用発明であるといわざるを得ない。
　また、上記相違点が実質的な相違点であったとしても、「ぱちんこ遊技機において、遊技者の操作を受け付ける演出操作部として、上下左右自在に操作可能なスティックを用いること」は、本願出願前周知の事項（例えば、特開２００８−４９１８６号公報の段落【００９３】には、「さらに、操作手段としては、この実施の形態で記載したもの（操作ボタンによるもの）に限らず、他の操作手段を用いても良い。例えば、
上下左右自在に操作可能なスティック（ジョイスティック）を設けてもよいし、十字キーを用いてもよい。
スティックコントローラ１２２が前後方向や左右方向に傾倒操作されたことにもとづいて、先読み予告演出およびボタン予告演出の態様を変化させてもよい。
　そして、引用発明と上記周知の事項は、遊技者の操作を受け付ける演出操作部を有するぱちんこ遊技機という共通の技術分野に属するものであり、また、引用文献１の段落【０１９３】には、「操作部材及びその組み合わせはこれには限定されず、操作部材の数、使用する操作部材、操作する際の操作部材の組み合わせ等を変更しても何ら問題ない。」との記載があることから、操作部材として、十字キー以外の操作部材を組み合わせに用いる点の示唆がされており、引用発明において、上下左右方向に操作するための操作部材である十字キーに代えて、上下左右方向に操作可能な操作部材という点で機能が共通するスティック等を用いることには十分な動機付けが存在するものと認められる。
　してみると、引用発明において、上記周知の事項を適用し、十字キーに代えて上下左右自在に操作可能なスティックを採用し、演出ボタンの押圧方向である「第一の方向」とは異なる「第二の方向への可動操作」を可能とし、本願補正発明の上記相違点に係る構成を成すことは、当業者が容易に想到し得るものである。
イ　本願補正発明の奏する作用効果
　本願補正発明によって奏される効果は、引用文献１に記載された事項、及び、上記周知の事項から、当業者が予測し得る程度のものである。
ウ　審判請求人の主張について
　審判請求人は、審判請求書の「（４）本願発明と引用発明との対比」において、「引用文献１においては審査官の指摘の通り、「サブ入力ボタン」と「十字キー」の同時押しにより「コメント予告４−６」を実行可能とした遊技機が記載されているものの、これら「サブ入力ボタン」および「十字キー」はいずれも押下により操作するものであり、その可動操作の方向は下方で同じ方向となっている。一方、上記補正後の本願発明は「第一の方向への可動操作を可能とする第１の演出操作部」および「第一の方向とは異なる第二の方向への可動操作を可能とする第２の演出操作部」という構成を有するものであり、その可動操作の方向は互いに異なる方向となっている。そして、このような構成は引用文献１には記載も示唆もなされておらず、本願発明が新規性を有することは明らかであるものと思料する。」と主張している。
　しかしながら、上記アにおいて検討したとおり、前後方向へ移動可能な「サブ入力ボタン４０００」と十字の中心を支点として傾動可能な「十字キー４１００」は、構造が異なるものであるから、「サブ入力ボタン４０００」の操作方向と「十字キー４１００」の操作方向が同じ方向であるとはいえない。
　また、引用発明において、「サブ入力ボタン４０００」と「十字キー４１００」の操作方向が仮に同じものであったとしても、上下左右方向に操作するための操作部材として、スティックの操作部材を用いることは、本願出願前周知の事項であり、本願補正発明は、引用発明及び上記周知の事項に基づき、当業者が容易に発明をすることができたものであり、審判請求人が主張するように、本願補正発明が新規性を有するものであったとしても、本願補正発明が、格別な進歩性を有するものとは認められない。
（２−５）　小括
　
　よって、本願補正発明は、引用発明との対比において、実質的な相違点が見いだせないことから、本願補正発明は、特許法第２９条第１項第３号に該当し、あるいは、本願補正発明は、引用発明、及び、上記周知の事項に基づいて当業者が容易に発明をすることができたものであるから、特許法第２９条第２項の規定により特許出願の際独立して特許を受けることができないものである。
（３）　むすび
　以上のことから、本件補正は、特許法第１７条の２第６項で準用する同法第１２６条第７項の規定に違反するものである。
　したがって、本件補正は、特許法第１５９条第１項で読み替えて準用する特許法第５３条第１項の規定により却下されるべきものである。
第３　本願発明について
１　本願発明
　令和１年７月３１日付けの手続補正は、上記のとおり却下されたので、本願の請求項１に係る発明は、平成３０年１１月３０日に提出された手続補正書により補正された特許請求の範囲の請求項１に記載されたとおりのもの（上記第２［理由］１の（補正前）の記載を参照）（以下「本願発明」という。）であり、分説してＡないしＧの符号を付与すると、以下のとおりである。
「Ａ　遊技者の操作を受け付ける複数の演出操作部と、
Ｂ　複数の前記演出操作部それぞれに設けられ、該演出操作部の可動操作に伴って検出信号を出力する複数の操作検出部と、
Ｃ　前記操作検出部から出力される検出信号に基づいて演出を実行する演出実行手段と、
を備え、
Ｄ’’　複数の前記演出操作部には、遊技者の第１の操作態様による可動操作を可能とする第１の演出操作部と、前記第１の操作態様とは異なる第２の操作態様により可動操作を可能とする第２の演出操作部が含まれ、
Ｅ’’　複数の前記操作検出部には、前記第１の演出操作部の可動操作に伴って第１検出信号を出力する第１操作検出部、および、前記第２の演出操作部の可動操作に伴って第２検出信号を出力する第２操作検出部が含まれ、
Ｆ　前記演出実行手段は、
　複数の前記操作検出部のうち前記第１操作検出部もしくは前記第２操作検出部のいずれか一方から検出信号が出力されている場合と、前記第１操作検出部および前記第２操作検出部の双方から検出信号が出力されている場合とで、異なる演出を実行すること
Ｇ　を特徴とする遊技機。」
２　原査定の拒絶の理由
　原査定の拒絶の理由の概要は、以下のとおりである。
理由１
　本願発明は、その出願前に日本国内又は外国において頒布された又は電気通信回線を通じて公衆に利用可能となった下記の引用文献１に記載された発明であるから、特許法第２９条第１項第３号に該当し、特許を受けることができない。
引用文献１：特開２０１５−１９７０４号公報
３　引用文献とそれに記載された事項
　原査定の拒絶の理由で引用された引用文献１及びそれらの記載事項は、上記第２［理由］２（２）（２−２）アに記載したとおりである。
４　対比・判断
　本願発明と引用発明とを対比する。
ア　本願発明のＡ，Ｂ，Ｃ，Ｆ，Ｇの特定事項について
　本願発明のＡ，Ｂ，Ｃ，Ｆ，Ｇの特定事項は、本願補正発明のＡ，Ｂ，Ｃ，Ｆ，Ｇの特定事項に相当し、引用発明に対するそれらの構成の対比は、上記第２［理由］２（２）（２−３）のア，イ，ウ，カ，キに記載したとおりである。
イ　本願発明のＤ’’の特定事項について
（ア）引用発明の構成ａ６、ｄにおける「サブ入力ボタン４０００」及び「十字キー４１００」は、構成ａ３における「遊技者によって操作可能な演出操作装置」を構成するものであるから、それぞれ、本願発明の「遊技者の」「可動操作を可能とする第１の演出操作部」及び「可動操作を可能とする第２の演出操作部」に相当し、引用発明の構成ａ６、ｄにおける「演出操作装置には、」「サブ入力ボタン４０００」と「十字キー４１００があ」ることは、本願発明の「複数の前記演出操作部には、」「第１の演出操作部と、」「第２の演出操作部が含まれ」ることに相当する。
（イ）引用発明における、「遊技者」による「サブ入力ボタン４０００」の「ボタンの中心軸の部分」の「操作」は、本願発明の「遊技者の第１の操作態様による可動操作」に相当する。
（ウ）引用発明における、「遊技者」による「十字キー４１００」の「キーの中心軸の上下左右のいずれかの部分」の「操作」は、本願発明の「前記第１の操作態様とは異なる第２の操作態様によ」る「可動操作」に相当する。
（エ）よって、引用発明の構成ａ３及びａ６、ｄにおける「遊技者によって操作可能な演出操作装置には、ボタンの中心軸の部分を」「操作されるサブ入力ボタン４０００と、キーの中心軸の上下左右のいずれかの部分を」「操作可能な十字キー４１００があ」ることは、本願発明の「複数の前記演出操作部には、遊技者の第１の操作態様による可動操作を可能とする第１の演出操作部と、前記第１の操作態様とは異なる第２の操作態様により可動操作を可能とする第２の演出操作部が含まれ」ることに相当する。
（オ）以上のことから、引用発明は、本願発明の構成Ｄ’’に相当する構成を有する。　
ウ　本願発明のＥ’’の特定事項について
（ア）引用発明の構成ｂ、ｅにおける「前記サブ入力ボタン４０００の操作があるか否かを判定する機能」を有する「ボタン演出表示制御手段２１５２ｈ」は、本願発明の「前記第１の演出操作部の可動操作に伴って第１検出信号を出力する第１操作検出部」としての機能を有し、また、引用発明の構成ｂ、ｅにおける「前記十字キー４１００が操作中であるか否かを判定する機能」を有する「ボタン演出表示制御手段２１５２ｈ」は、本願発明の「前記第２の演出操作部の可動操作に伴って第２検出信号を出力する第２操作検出部」としての機能を有するものである。
（イ）よって、引用発明は、本願発明の構成Ｅ’’に相当する構成を有する。
　してみると、引用発明は、本願発明の構成Ａ、Ｂ，Ｃ，Ｄ’’，Ｅ’’，Ｆ及びＧをすべて有しており、本願発明と引用発明との対比において、相違点は見出せない。
　したがって、本願発明は、引用発明である。
第４　むすび
　以上のとおりであるから、本願発明は、特許法第２９条第１項第３号に該当し、特許を受けることができないから、本願は拒絶されるべきものである。
　よって、結論のとおり審決する。